(57)【要約】【課題】  近距離無線通信における接続動作を簡便に行う。【解決手段】  端末Ａは、ブルートゥース接続要求を、移動体通信網経由の電子メールによって相手先の端末Ｂ、Ｃに送信する(S101)。この後、端末Ａは、ブルートゥース通信を実行可能とし接続スキャンモードへ移行して端末Ｂ、Ｃからの接続要求の要求待ちを行う(S102)。端末Ｂ、Ｃの各々は、端末Ａとの接続を希望する場合、ブルートゥース通信を実行可能とし要求元の端末Ａに対するブルートゥース接続要求を行う(S103)。このため端末Ｂ、Ｃからブルートゥース接続要求が端末Ａに送信され(S104)、ブルートゥース規格に基づく認証が実行される(S105A)。認証結果が正常ならば、端末Ａ、Ｂ間及び端末Ａ、Ｃ間のブルートゥース接続が完了する(S106)。接続要求を電子メールで送受信するため、接続可能移動機を検索後に接続する手順がなくなり、接続動作が簡便になる。【選択図】  図４
2005223635.tif 000002
【特許請求の範囲】
【請求項１】
近距離無線通信及び移動体通信網を介した移動体通信を行う機能を備えた移動機であって、
他の移動機との近距離無線通信での接続を要求する場合に、自機の識別情報を含んだ近距離無線接続要求を移動体通信網経由で他の移動機に送信する要求送信手段と、
前記近距離無線接続要求に応じて接続する旨の応答を前記他の移動機から受信する応答受信手段と、
前記応答を受信した場合に、近距離無線通信により当該他の移動機との接続を開始する要求送信側制御手段と、
を備えた移動機。
【請求項２】
近距離無線通信及び移動体通信網を介した移動体通信を行う機能を備えた移動機であって、
他の移動機の識別情報を含んだ、近距離無線通信での接続を要求する旨の近距離無線接続要求を、移動体通信網経由で当該他の移動機から受信する要求受信手段と、
前記近距離無線接続要求に応じて接続する旨の応答を前記他の移動機へ送信する応答送信手段と、
前記応答を送信した場合に、近距離無線通信により当該他の移動機との接続を開始する要求受信側制御手段と、
を備えた移動機。
【請求項３】
近距離無線通信及び移動体通信網を介した移動体通信を行う機能を備えた移動機であって、
要求送信側の構成として、
他の移動機との近距離無線通信での接続を要求する場合に、自機の識別情報を含んだ近距離無線接続要求を移動体通信網経由で他の移動機に送信する要求送信手段と、
前記近距離無線接続要求に応じて接続する旨の応答を前記他の移動機から受信する応答受信手段と、
前記応答を受信した場合に、近距離無線通信により当該他の移動機との接続を開始する要求送信側制御手段とを備え、
要求受信側の構成として、
他の移動機の識別情報を含んだ、近距離無線通信での接続を要求する旨の近距離無線接続要求を、移動体通信網経由で当該他の移動機から受信する要求受信手段と、
前記近距離無線接続要求に応じて接続する旨の応答を前記他の移動機へ送信する応答送信手段と、
前記応答を送信した場合に、近距離無線通信により当該他の移動機との接続を開始する要求受信側制御手段とを備えた、
ことを特徴とする移動機。
【請求項４】
前記要求送信側制御手段又は前記要求受信側制御手段は、
他の移動機との間で相互に、相手方が接続許可された移動機であることの認証を行い、認証できた場合に当該他の移動機との接続を開始するよう制御することを特徴とする請求項１〜３の何れか１項に記載の移動機。
【請求項５】
前記要求送信手段は、
前記認証で用いるキー情報、又は当該キー情報を取得するための取得情報を、近距離無線接続要求とともに移動体通信網経由で他の移動機に送信し、
前記要求送信側制御手段は、
送信したキー情報、又は前記取得情報に基づいて取得されるべきキー情報を用いて、相手方が接続許可された移動機であることの認証を行う、
ことを特徴とする請求項４記載の移動機。
【請求項６】
前記要求受信手段は、
前記認証で用いるキー情報、又は当該キー情報を取得するための取得情報を、近距離無線接続要求とともに移動体通信網経由で他の移動機から受信し、
前記要求受信側制御手段は、
受信したキー情報、又は前記取得情報に基づいて取得されたキー情報を用いて、相手方が接続許可された移動機であることの認証を行う、
ことを特徴とする請求項４記載の移動機。
【請求項７】
近距離無線通信及び移動体通信網を介した移動体通信を行う機能を備えた複数の移動機を含んで構成された通信システムであって、
各移動機が、
要求送信側の構成として、
他の移動機との近距離無線通信での接続を要求する場合に、自機の識別情報を含んだ近距離無線接続要求を移動体通信網経由で他の移動機に送信する要求送信手段と、
前記近距離無線接続要求に応じて接続する旨の応答を前記他の移動機から受信する応答受信手段と、
前記応答を受信した場合に、近距離無線通信により当該他の移動機との接続を開始する要求送信側制御手段とを備え、
要求受信側の構成として、
他の移動機の識別情報を含んだ、近距離無線通信での接続を要求する旨の近距離無線接続要求を、移動体通信網経由で当該他の移動機から受信する要求受信手段と、
前記近距離無線接続要求に応じて接続する旨の応答を前記他の移動機へ送信する応答送信手段と、
前記応答を送信した場合に、近距離無線通信により当該他の移動機との接続を開始する要求受信側制御手段とを備えた、
ことを特徴とする通信システム。
【請求項８】
近距離無線通信及び移動体通信網を介した移動体通信を行う機能を備えた複数の移動機、を含んで構成された通信システムにおける通信制御方法であって、
要求送信側の移動機が、要求受信側の移動機との近距離無線通信での接続を要求する場合に、当該要求送信側の移動機の識別情報を含んだ近距離無線接続要求を移動体通信網経由で要求受信側の移動機に送信する要求送信工程と、
要求受信側の移動機が、前記近距離無線接続要求を移動体通信網経由で要求送信側の移動機から受信する要求受信工程と、
要求受信側の移動機が、前記近距離無線接続要求に応じて接続する旨の応答を要求送信側の移動機へ送信する応答送信工程と、
要求送信側の移動機が、前記近距離無線接続要求に応じて接続する旨の応答を要求受信側の移動機から受信する応答受信工程と、
要求送信側の移動機及び要求受信側の移動機が、相互に近距離無線通信による接続を開始する接続開始工程と、
を有する通信制御方法。
【発明の詳細な説明】
【技術分野】
【０００１】
本発明は、近距離無線通信及び移動体通信網を介した移動体通信を行う機能を備えた移動機、複数の移動機を含んで構成された通信システム、及び当該通信システムにおける通信制御方法に関する。
【背景技術】
【０００２】
近年、ブルートゥース等の近距離無線通信に関するさまざまな技術が提案されている。例えば、以下の特許文献１には、近距離無線通信システムから遠距離無線通信システム（例えば携帯電話網）を介してユーザの認証情報が信販会社へ送信され、信販会社にて決済を行う技術が提案されている。
【特許文献１】特開２００２−９２１４０号公報
【発明の開示】
【発明が解決しようとする課題】
【０００３】
しかし、ブルートゥース等の近距離無線通信には、改善すべき問題点も多い。例えば、近距離無線通信を行う場合には、相手機器を特定して通信する必要がある。このとき相手機器を特定する際には、まず、接続可能な機器を検索し、その後、検索で得られた接続可能な機器の中から相手機器を特定して接続するという一連の動作を行う必要があり、接続動作が煩雑になっていた。
【０００４】
また、移動機のユーザが特定の相手機器に接続したい場合でも、当該特定の相手機器が自機の無線通信可能圏内に存在していなければ、近距離無線通信での接続は不可能であり、接続手順として、まず最初に、接続可能な機器を検索する処理が必須となっていた。
【０００５】
本発明は、上記課題を解決するために成されたものであり、近距離無線通信における接続動作を簡便に行うことができる移動機、通信システム及び通信制御方法を提供することを目的とする。
【課題を解決するための手段】
【０００６】
上記目的を達成するために、本発明に係る移動機は、請求項１に記載したように、近距離無線通信及び移動体通信網を介した移動体通信を行う機能を備えた移動機であって、他の移動機との近距離無線通信での接続を要求する場合に、自機の識別情報を含んだ近距離無線接続要求を移動体通信網経由で他の移動機に送信する要求送信手段と、前記近距離無線接続要求に応じて接続する旨の応答を前記他の移動機から受信する応答受信手段と、前記応答を受信した場合に、近距離無線通信により当該他の移動機との接続を開始する要求送信側制御手段とを備えたことを特徴とする。
【０００７】
この構成によれば、要求送信手段は、他の移動機との近距離無線通信での接続を要求する場合に、自機の識別情報を含んだ近距離無線接続要求を移動体通信網経由で他の移動機に送信する。ここでの「移動体通信網経由で」とは、相手先の移動機を特定せずに送信する近距離無線通信ではなく、相手先の移動機を特定して行われる移動体通信網経由の情報伝達手段、例えば、電子メール等により送信することを意味する。近距離無線接続要求には要求元の移動機の識別情報が含まれているため、近距離無線接続要求を受信した他の移動機は、当該要求元の移動機を特定でき、近距離無線接続要求に応じて接続する旨の応答を要求元の移動機あてに送信することができる。そして、応答受信手段が、近距離無線接続要求に応じて接続する旨の応答を他の移動機から受信すると、要求送信側制御手段は、近距離無線通信により当該他の移動機との接続を開始する。
【０００８】
このように要求元の移動機が、近距離無線接続要求を、相手先の移動機を特定しない近距離無線通信でなく、相手先の移動機を特定して行われる移動体通信網経由で送信するため、従来のように接続可能な移動機を検索してから接続するという手順を踏む必要がなくなり、確実且つ効率的に当該相手先の移動機に近距離無線接続要求を送信でき、近距離無線通信における接続動作を簡便に行うことができる。
【０００９】
また、相手先の移動機は、近距離無線接続要求を受信するために、常時、近距離無線通信を可能な状態で待ち受ける必要がなくなるため、待ち受けに要する消費電力の節約を図ることができる。
【００１０】
また、情報の送信範囲が所定のエリア内に限定された近距離無線通信でなく、情報の送信範囲がほぼ全国的に広がった移動体通信網を利用して、近距離無線接続要求が相手先の移動機へ送信されるため、相手先の移動機がどこにいても確実に近距離無線接続要求を送り届けることが可能となる。このため、たとえ相手先の移動機が、要求元の移動機に対し近距離無線通信可能なエリア内にいなくとも、その後のアクション（例えば、相手先の移動機のユーザと要求元の移動機のユーザとが近づくように移動する等）によって、相手先の移動機と要求元の移動機間で近距離無線通信の接続を実現できる可能性が生ずる。
【００１１】
本発明に係る移動機は、請求項２に記載したように、近距離無線通信及び移動体通信網を介した移動体通信を行う機能を備えた移動機であって、他の移動機の識別情報を含んだ、近距離無線通信での接続を要求する旨の近距離無線接続要求を、移動体通信網経由で当該他の移動機から受信する要求受信手段と、前記近距離無線接続要求に応じて接続する旨の応答を前記他の移動機へ送信する応答送信手段と、前記応答を送信した場合に、近距離無線通信により当該他の移動機との接続を開始する要求受信側制御手段とを備えたことを特徴とする。
【００１２】
この構成によれば、要求受信手段は、他の移動機の識別情報を含んだ、近距離無線通信での接続を要求する旨の近距離無線接続要求を、移動体通信網経由で当該他の移動機から受信する。ここでの「移動体通信網経由で」とは、請求項１と同様に、相手先の移動機を特定せずに送信する近距離無線通信ではなく、相手先の移動機を特定して行われる移動体通信網経由の情報伝達手段、例えば、電子メール等により送信することを意味する。近距離無線接続要求には他の移動機（要求元の移動機）の識別情報が含まれているため、近距離無線接続要求を受信した当該移動機は、要求元の移動機を特定できる。そこで、応答送信手段が、近距離無線接続要求に応じて接続する旨の応答を要求元の移動機へ送信すると、要求受信側制御手段は、近距離無線通信により当該要求元の移動機との接続を開始する。
【００１３】
このように要求受信側の移動機が、近距離無線接続要求を、相手先の移動機を特定しない近距離無線通信でなく、相手先の移動機を特定して行われる移動体通信網経由で受信するため、従来のように接続可能な移動機を検索してから接続するという手順を踏む必要がなくなり、確実且つ効率的に近距離無線接続要求を受信でき、近距離無線通信における接続動作を簡便に行うことができる。
【００１４】
また、要求受信側の移動機は、近距離無線接続要求を受信するために、常時、近距離無線通信を可能な状態で待ち受ける必要がなくなるため、待ち受けに要する消費電力の節約を図ることができる。
【００１５】
また、情報の送信範囲が所定のエリア内に限定された近距離無線通信でなく、情報の送信範囲がほぼ全国的に広がった移動体通信網を利用して、近距離無線接続要求を受信するため、当該要求受信側の移動機がどこにいても確実に近距離無線接続要求を受信することが可能となる。このため、たとえ当該要求受信側の移動機が、要求元の移動機に対し近距離無線通信可能なエリア内にいなくとも、その後のアクション（例えば、当該要求受信側の移動機のユーザと要求元の移動機のユーザとが近づくように移動する等）によって、当該要求受信側の移動機と要求元の移動機間で近距離無線通信の接続を実現できる可能性が生ずる。
【００１６】
前述した請求項１に記載の構成は、要求送信側の移動機の構成であり、上記のようにそれ自体で特徴がある。また、前述した請求項２に記載の構成は、要求受信側の移動機の構成であり、上記のようにそれ自体で特徴がある。さらに、移動機の構成として、これら要求送信側の構成及び要求受信側の構成を兼ね備えた構成も考えられる。
【００１７】
即ち、本発明に係る移動機は、請求項３に記載したように、近距離無線通信及び移動体通信網を介した移動体通信を行う機能を備えた移動機であって、要求送信側の構成として、他の移動機との近距離無線通信での接続を要求する場合に、自機の識別情報を含んだ近距離無線接続要求を移動体通信網経由で他の移動機に送信する要求送信手段と、前記近距離無線接続要求に応じて接続する旨の応答を前記他の移動機から受信する応答受信手段と、前記応答を受信した場合に、近距離無線通信により当該他の移動機との接続を開始する要求送信側制御手段とを備え、要求受信側の構成として、他の移動機の識別情報を含んだ、近距離無線通信での接続を要求する旨の近距離無線接続要求を、移動体通信網経由で当該他の移動機から受信する要求受信手段と、前記近距離無線接続要求に応じて接続する旨の応答を前記他の移動機へ送信する応答送信手段と、前記応答を送信した場合に、近距離無線通信により当該他の移動機との接続を開始する要求受信側制御手段とを備えたことを特徴とする。
【００１８】
請求項３に記載したように、複数の移動機の各々が、要求送信側の構成及び要求受信側の構成を兼ね備えることにより、ある時点では一の移動機が要求送信側の移動機として、他の移動機が要求受信側の移動機として、それぞれ動作し、また別の時点では当該他の移動機が要求送信側の移動機として、当該一の移動機が要求受信側の移動機として、それぞれ動作することができ、近距離無線接続要求を相互に送受信することができる。
【００１９】
上記の請求項１〜３の移動機では、請求項４に記載したように、要求送信側制御手段又は要求受信側制御手段は、他の移動機との間で相互に、相手方が接続許可された移動機であることの認証を行い、認証できた場合に当該他の移動機との接続を開始するよう制御する構成とすることが望ましい。このように他の移動機との間で相互に、相手方が接続許可された移動機であることの認証ができた場合に当該他の移動機との接続を開始することで、接続許可されていない移動機との接続を回避することができ、接続上のセキュリティを向上させることができる。
【００２０】
上記の認証に関する態様としては、以下の態様を採用することができる。即ち、請求項５に記載したように、要求送信手段は、前記認証で用いるキー情報、又は当該キー情報を取得するための取得情報を、近距離無線接続要求とともに移動体通信網経由で他の移動機に送信し、要求送信側制御手段は、送信したキー情報、又は前記取得情報に基づいて取得されるべきキー情報を用いて、相手方が接続許可された移動機であることの認証を行う構成とすることが望ましい。
【００２１】
また、請求項６に記載したように、要求受信手段は、前記認証で用いるキー情報、又は当該キー情報を取得するための取得情報を、近距離無線接続要求とともに移動体通信網経由で他の移動機から受信し、要求受信側制御手段は、受信したキー情報、又は前記取得情報に基づいて取得されたキー情報を用いて、相手方が接続許可された移動機であることの認証を行う構成とすることが望ましい。
【００２２】
なお、上記の「キー情報を取得するための取得情報」としては、例えば、内部にキー情報を保持したアプリケーションの識別情報や、HTTPを使ってWeb内の所定のサーバからキー情報を取得する動作を行うアプリケーションの識別情報等が挙げられる。
【００２３】
ところで、本発明は、以下のように、複数の移動機を含んで構成された通信システムに係る発明、及び当該システムにおける通信制御方法に係る発明として捉えることもできる。
【００２４】
即ち、請求項７に記載したように、本発明に係る通信システムは、近距離無線通信及び移動体通信網を介した移動体通信を行う機能を備えた複数の移動機を含んで構成された通信システムであって、各移動機が、要求送信側の構成として、他の移動機との近距離無線通信での接続を要求する場合に、自機の識別情報を含んだ近距離無線接続要求を移動体通信網経由で他の移動機に送信する要求送信手段と、前記近距離無線接続要求に応じて接続する旨の応答を前記他の移動機から受信する応答受信手段と、前記応答を受信した場合に、近距離無線通信により当該他の移動機との接続を開始する要求送信側制御手段とを備え、要求受信側の構成として、他の移動機の識別情報を含んだ、近距離無線通信での接続を要求する旨の近距離無線接続要求を、移動体通信網経由で当該他の移動機から受信する要求受信手段と、前記近距離無線接続要求に応じて接続する旨の応答を前記他の移動機へ送信する応答送信手段と、前記応答を送信した場合に、近距離無線通信により当該他の移動機との接続を開始する要求受信側制御手段とを備えたことを特徴とする。
【００２５】
また、請求項８に記載したように、本発明に係る通信制御方法は、近距離無線通信及び移動体通信網を介した移動体通信を行う機能を備えた複数の移動機、を含んで構成された通信システムにおける通信制御方法であって、要求送信側の移動機が、要求受信側の移動機との近距離無線通信での接続を要求する場合に、当該要求送信側の移動機の識別情報を含んだ近距離無線接続要求を移動体通信網経由で要求受信側の移動機に送信する要求送信工程と、要求受信側の移動機が、前記近距離無線接続要求を移動体通信網経由で要求送信側の移動機から受信する要求受信工程と、要求受信側の移動機が、前記近距離無線接続要求に応じて接続する旨の応答を要求送信側の移動機へ送信する応答送信工程と、要求送信側の移動機が、前記近距離無線接続要求に応じて接続する旨の応答を要求受信側の移動機から受信する応答受信工程と、要求送信側の移動機及び要求受信側の移動機が、相互に近距離無線通信による接続を開始する接続開始工程とを有することを特徴とする。
【発明の効果】
【００２６】
以上説明したように、本発明によれば、近距離無線接続要求が、相手先の移動機を特定しない近距離無線通信でなく、相手先の移動機を特定して行われる移動体通信網経由で送受信されるため、従来のように接続可能な移動機を検索してから接続するという手順を踏む必要がなくなり、確実且つ効率的に近距離無線接続要求の送受信を行うことができ、近距離無線通信における接続動作を簡便に行うことができる。
【００２７】
また、相手先の移動機は、近距離無線接続要求を受信するために、常時、近距離無線通信を可能な状態で待ち受ける必要がなくなるため、待ち受けに要する消費電力の節約を図ることができる。
【００２８】
更に、情報の送信範囲が所定のエリア内に限定された近距離無線通信でなく、情報の送信範囲がほぼ全国的に広がった移動体通信網を利用して、近距離無線接続要求が送受信されるため、要求受信側の移動機がどこにいても確実に近距離無線接続要求を送り届けることが可能となる。このため、たとえ要求受信側の移動機が、要求元の移動機に対し近距離無線通信可能なエリア内にいなくとも、その後のアクション（例えば、要求受信側の移動機のユーザと要求元の移動機のユーザとが近づくように移動する等）によって、要求受信側の移動機と要求元の移動機間で近距離無線通信の接続を実現できる可能性が生ずる。
【発明を実施するための最良の形態】
【００２９】
以下、本発明に関する各種の実施形態について説明する。
【００３０】
まず、下記の各実施形態で共通する図１の通信システム１の構成及び図２の移動機１０の構成を説明する。
【００３１】
図１に示すように、下記の各実施形態における通信システム１は、複数の移動機１０Ａ、１０Ｂ、１０Ｃ（以下「移動機１０」と総称する）を含んで構成され、各移動機１０は、近距離無線通信（以下の各実施形態では、一例として、ブルートゥース規格に基づく通信（以下「ブルートゥース通信」という））を行う機能及び移動体通信網を介した移動体通信を行う機能を備えている。このため、各移動機１０は、移動体通信網における基地局２０を介してメールサーバ３０にアクセス可能とされ、このメールサーバ３０経由で電子メールを相互に送受信可能とされている。
【００３２】
以下の実施形態では移動機１０Ａが、ブルートゥース通信の要求送信側の移動機である場合について説明するが、この移動機１０Ａを中心とするブルートゥース通信を実行可能な領域を図１の領域Ｂで表す。この領域Ｂ内には、移動機１０Ｂ、１０Ｃが位置している。
【００３３】
各移動機１０は同様の構成をしており、その構成図は図２に示す。この図２に示すように、移動機１０は、移動体通信網を介した移動体通信を行う移動体通信部１１と、近隣の他の移動機とブルートゥース通信を行う近距離無線通信部１２と、操作ボタン等の入力部１３と、ＬＣＤ（Liquid Crystal Display）やＥＬ（Electro Luminescence）等の表示部１４と、マイクやスピーカ等の音声処理部１５と、ダウンロードされたアプリケーションプログラムや電話帳情報等を記憶するための記憶部１６と、アプリケーションプログラムを実行するアプリケーション実行部１７とを含んで構成されている。
【００３４】
このうち移動体通信部１１は、要求送信側の機能を持つ構成として、他の移動機とのブルートゥース通信での接続（以下「ブルートゥース接続」という）を要求する場合に、自機の識別情報を含んだ近距離無線接続要求を移動体通信網経由で他の移動機に送信する要求送信部１１Ａと、近距離無線接続要求に応じて接続する旨の応答を他の移動機から受信する応答受信部１１Ｂとを備え、要求受信側の機能を持つ構成として、他の移動機の識別情報を含んだ、ブルートゥース接続を要求する旨の近距離無線接続要求を移動体通信網経由で他の移動機から受信する要求受信部１１Ｃと、近距離無線接続要求に応じて接続する旨の応答を他の移動機へ送信する応答送信部１１Ｄとを備えている。また、近距離無線通信部１２は、要求送信側の機能を持つ構成として、接続する旨の応答を受信した場合に他の移動機とのブルートゥース接続を開始する要求送信側制御部１２Ａを備え、要求受信側の機能を持つ構成として、接続する旨の応答を送信した場合に他の移動機とのブルートゥース接続を開始する要求受信側制御部１２Ｂを備えている。
【００３５】
以下の各実施形態では、図１の移動機１０Ａをブルートゥース通信の要求送信側の移動機とし、他の移動機１０Ｂ、１０Ｃに対しブルートゥース通信の接続要求を行う各種の態様について順に説明する。なお、以下の図３〜図７の説明では、移動機１０Ａを「端末Ａ」、移動機１０Ｂを「端末Ｂ」、移動機１０Ｃを「端末Ｃ」と、それぞれ称するものとする。
【００３６】
［第１実施形態］
第１実施形態では、図３を用いて、端末Ａが、図１のブルートゥース通信可能な領域Ｂ内に位置する端末Ｂ、Ｃとのブルートゥース接続要求を行う実施形態について説明する。
【００３７】
まず、端末Ａは、自端末Ａの識別情報及び端末ＡのＢＤアドレスを含んだブルートゥース接続要求を、移動体通信網経由の電子メールによって、接続相手となる相手先移動機（端末Ｂと端末Ｃ）に送信する（図３のＳ１０１）。この後、端末Ａは、ブルートゥース通信が実行可能となるよう近距離無線通信部１２をオンにするとともに接続スキャンモードへ移行して端末Ｂ、Ｃからの接続要求の要求待ちを行う（Ｓ１０２）。
【００３８】
一方、端末Ａからのブルートゥース接続要求を受信した端末Ｂ、Ｃの各々は、端末Ａとの接続を希望する場合、ブルートゥース通信が実行可能となるよう近距離無線通信部１２をオンにするとともに、端末ＡのＢＤアドレスを基に端末Ａに対し、ブルートゥース接続要求に応ずる旨の応答（要求元の端末Ａに対するブルートゥース接続要求）を行う（Ｓ１０３）。これにより、端末Ｂ、Ｃの各々からのブルートゥース接続要求が端末Ａに送信され（Ｓ１０４）、接続要求の要求待ちをしていた端末Ａは端末Ｂ、Ｃからの接続要求を受信してすぐに応答を返すことで（Ｓ１０５）、端末Ａ、Ｂ間及び端末Ａ、Ｃ間のブルートゥース通信の接続が完了する（Ｓ１０６）。
【００３９】
このように第１実施形態では、端末Ａからのブルートゥース接続要求が、相手先の移動機を特定しない近距離無線通信（ブルートゥース通信や赤外線通信等）でなく、相手先の移動機を特定して行われる移動体通信網経由の電子メールで送受信されるため、従来のように接続可能な移動機を検索してから接続するという手順を踏む必要がなくなり、確実且つ効率的にブルートゥース接続要求の送受信を行うことができ、ブルートゥース通信における接続動作を簡便に行うことができる。
【００４０】
また、端末Ｂ、Ｃは、ブルートゥース接続要求を受信するために、常時、ブルートゥース通信を可能な状態で待ち受ける必要がなくなるため、待ち受けに要する消費電力の節約を図ることができる。
【００４１】
更に、情報の送信範囲が所定のエリア内に限定された近距離無線通信でなく、情報の送信範囲がほぼ全国的に広がった移動体通信網の電子メールを利用して、ブルートゥース接続要求が送受信されるため、要求受信側の移動機（ここでは端末Ｂ、Ｃ）がどこにいても確実にブルートゥース接続要求を送り届けることが可能となる。
【００４２】
なお、上記図３の動作例ではブルートゥース接続時の認証を行わなかったが、図４に示すように、ブルートゥース接続時に認証を行うことが望ましい。即ち、図３のＳ１０５の処理に代わり、図４のように端末Ｂ、Ｃの各々からのブルートゥース接続要求が端末Ａに送信された後（Ｓ１０４）、ブルートゥース規格に基づく認証シーケンスを実行する（Ｓ１０５Ａ）ことが望ましい。ここでは、例えば、端末Ａ、Ｂ間において、端末Ａのユーザが自己の個人識別番号（Personal Identification Number（以下「ＰＩＮ」という））を入力部１３から入力して端末Ｂへ送信し、端末Ｂが当該入力されたＰＩＮの正当性をチェックするとともに、端末Ｂのユーザが自己のＰＩＮを入力部１３から入力して端末Ａへ送信し、端末Ａが当該入力されたＰＩＮの正当性をチェックすることで、認証を行うことができる。
【００４３】
このように他の移動機との間で相互に、相手方が接続許可された移動機であることの認証ができた場合に当該他の移動機との接続を開始することで、接続許可されていない移動機との接続を回避することができ、接続上のセキュリティを向上させることができる。
【００４４】
［第２実施形態］
第２実施形態では、図５を用いて、端末Ａが、電子メールによってブルートゥース接続要求とともにブルートゥース認証で用いるＰＩＮを端末Ｂ、Ｃに送信する実施形態について説明する。
【００４５】
まず、端末Ａは、自端末Ａの識別情報及び端末ＡのＢＤアドレスとともにブルートゥース認証で用いるＰＩＮ（ここでは「１２３４」）を含んだブルートゥース接続要求を、移動体通信網経由の電子メールによって、接続相手となる相手先移動機（端末Ｂと端末Ｃ）に送信する（図５のＳ２０１）。この後、端末Ａは、ブルートゥース通信が実行可能となるよう近距離無線通信部１２をオンにするとともに接続スキャンモードへ移行して端末Ｂ、Ｃからの接続要求の要求待ちを行う（Ｓ２０２）。
【００４６】
一方、端末Ａからのブルートゥース接続要求を受信した端末Ｂ、Ｃの各々は、端末Ａとの接続を希望する場合、ブルートゥース通信が実行可能となるよう近距離無線通信部１２をオンにするとともに、端末ＡのＢＤアドレスを基に端末Ａに対し、ブルートゥース接続要求に応ずる旨の応答（要求元の端末Ａに対するブルートゥース接続要求）を行う（Ｓ２０３）。これにより、端末Ｂ、Ｃの各々からのブルートゥース接続要求が端末Ａに送信され（Ｓ２０４）、接続要求の要求待ちをしていた端末Ａと端末Ｂ、Ｃの各々との間で、以下のような認証シーケンスが自動的に実行される（Ｓ２０５）。即ち、端末Ａ、Ｂ間においては、端末Ｂが、電子メールで端末Ａから受信したＰＩＮを端末Ａに送信し、端末Ａが、端末Ｂから受信したＰＩＮと自端末Ａが送信したＰＩＮとが一致するか否かを判定し、一致すれば正常に認証できたと判断し、一致しなければ正常に認証できなかったと判断する。端末Ａ、Ｃ間でも、同様の認証シーケンスが自動的に実行される。
【００４７】
上記の認証シーケンスで端末Ａ、Ｂ、Ｃにて正常に認証できた場合、端末Ａ、Ｂ間及び端末Ａ、Ｃ間のブルートゥース通信の接続が完了する（Ｓ２０６）。
【００４８】
このように第２実施形態では、端末Ａが、電子メールによってブルートゥース接続要求とともにブルートゥース認証で用いるＰＩＮを端末Ｂ、Ｃに送信することで、認証シーケンスを自動的に実行でき、ブルートゥース通信における接続動作をさらに簡便、迅速に行うことができる。
【００４９】
［第３実施形態］
第３実施形態では、図６を用いて、端末Ａが、電子メールによってブルートゥース接続要求とともに、ブルートゥース認証で用いるＰＩＮの情報を保持したアプリケーションの識別情報を端末Ｂ、Ｃに送信する実施形態について説明する。
【００５０】
まず、端末Ａは、自端末Ａの識別情報及び端末ＡのＢＤアドレスとともに、ブルートゥース認証で用いるＰＩＮの情報を保持したアプリケーションの識別情報を含んだブルートゥース接続要求を、移動体通信網経由の電子メールによって、接続相手となる相手先移動機（端末Ｂと端末Ｃ）に送信する（図６のＳ３０１）。この後、端末Ａは、ブルートゥース通信が実行可能となるよう近距離無線通信部１２をオンにするとともに接続スキャンモードへ移行して端末Ｂ、Ｃからの接続要求の要求待ちを行う（Ｓ３０２）。
【００５１】
一方、端末Ａからのブルートゥース接続要求を受信した端末Ｂ、Ｃの各々は、端末Ａとの接続を希望する場合、ブルートゥース通信が実行可能となるよう近距離無線通信部１２をオンにするとともに、端末ＡのＢＤアドレスを基に端末Ａに対し、ブルートゥース接続要求に応ずる旨の応答（要求元の端末Ａに対するブルートゥース接続要求）を行う（Ｓ３０３）。これにより、端末Ｂ、Ｃの各々からのブルートゥース接続要求が端末Ａに送信され（Ｓ３０４）、接続要求の要求待ちをしていた端末Ａと端末Ｂ、Ｃの各々との間で、以下のような認証シーケンスが自動的に実行される（Ｓ３０５）。即ち、端末Ａ、Ｂ間においては、端末Ｂが、電子メールで端末Ａから受信したアプリケーションの識別情報を基に、当該アプリケーションプログラムを記憶部１６から読み出し、読み出したアプリケーションプログラム内に保持されたＰＩＮの情報を読み出す。そして、端末Ｂが、読み出したＰＩＮを端末Ａに送信すると、端末Ａが、端末Ｂから受信したＰＩＮと、自端末Ａが予め記憶部１６に記憶したＰＩＮとが一致するか否かを判定し、一致すれば正常に認証できたと判断し、一致しなければ正常に認証できなかったと判断する。端末Ａ、Ｃ間でも、同様の認証シーケンスが自動的に実行される。
【００５２】
上記の認証シーケンスで端末Ａ、Ｂ、Ｃにて正常に認証できた場合、端末Ａ、Ｂ間及び端末Ａ、Ｃ間のブルートゥース通信の接続が完了する（Ｓ３０６）。
【００５３】
このように第３実施形態では、端末Ａが、電子メールによってブルートゥース接続要求とともに、ブルートゥース認証で用いるＰＩＮの情報を保持したアプリケーションの識別情報を端末Ｂ、Ｃに送信することで、認証シーケンスを自動的に実行でき、ブルートゥース通信における接続動作をさらに簡便、迅速に行うことができる。
【００５４】
なお、図６のＳ３０１では、端末Ａは、ＰＩＮの情報を保持したアプリケーションの識別情報を送信する以外に、HTTPを使ってWeb内の所定のサーバからＰＩＮの情報を取得する動作を行うアプリケーションの識別情報を送信してもよい。
【００５５】
［第４実施形態］
第４実施形態では、図７を用いて、端末Ａが、電子メールによってブルートゥース接続要求とともに、ブルートゥース認証で用いるＰＩＮの情報をHTTPによりWeb内の所定のサーバから取得する動作を行う上位アプリケーションの識別情報及びブルートゥース接続後に自動起動するべき下位アプリケーションの識別情報を端末Ｂ、Ｃに送信する実施形態について説明する。
【００５６】
まず、端末Ａは、自端末Ａの識別情報及び端末ＡのＢＤアドレスとともに、ブルートゥース認証で用いるＰＩＮの情報をHTTPによりWeb内の所定のサーバから取得する動作を行う上位アプリケーションの識別情報及びブルートゥース接続後に自動起動するべき下位アプリケーションの識別情報を含んだブルートゥース接続要求を、移動体通信網経由の電子メールによって、接続相手となる相手先移動機（端末Ｂと端末Ｃ）に送信する（図７のＳ４０１）。この後、端末Ａは、ブルートゥース通信が実行可能となるよう近距離無線通信部１２をオンにするとともに接続スキャンモードへ移行して端末Ｂ、Ｃからの接続要求の要求待ちを行う（Ｓ４０２）。
【００５７】
一方、端末Ａからのブルートゥース接続要求を受信した端末Ｂ、Ｃの各々は、端末Ａとの接続を希望する場合、ブルートゥース通信が実行可能となるよう近距離無線通信部１２をオンにするとともに、端末ＡのＢＤアドレスを基に端末Ａに対し、ブルートゥース接続要求に応ずる旨の応答（要求元の端末Ａに対するブルートゥース接続要求）を行う（Ｓ４０３）。これにより、端末Ｂ、Ｃの各々からのブルートゥース接続要求が端末Ａに送信され（Ｓ４０４）、接続要求の要求待ちをしていた端末Ａと端末Ｂ、Ｃの各々との間で、以下のような認証シーケンスが自動的に実行される（Ｓ４０５）。即ち、端末Ａ、Ｂ間においては、端末Ｂは、電子メールで端末Ａから受信した上位アプリケーションの識別情報を基に、当該上位アプリケーションプログラムを記憶部１６から読み出し、読み出した上位アプリケーションプログラムを起動する。この上位アプリケーションプログラムは、ＰＩＮの情報をHTTPによりWeb内の所定のサーバから取得する。そして、取得されたＰＩＮの情報が端末Ｂから端末Ａへ送信されると、端末Ａが、端末Ｂから受信したＰＩＮと、自端末Ａが予め記憶部１６に記憶したＰＩＮとが一致するか否かを判定し、一致すれば正常に認証できたと判断し、一致しなければ正常に認証できなかったと判断する。端末Ａ、Ｃ間でも、同様の認証シーケンスが自動的に実行される。
【００５８】
上記の認証シーケンスで端末Ａ、Ｂ、Ｃにて正常に認証できた場合、端末Ａ、Ｂ間及び端末Ａ、Ｃ間のブルートゥース通信の接続が完了する（Ｓ４０６）。ブルートゥース接続完了後は、端末Ａ、Ｂ、Ｃの各々において下位アプリケーションの識別情報を基に当該下位アプリケーションプログラムを記憶部１６から読み出し、読み出した下位アプリケーションプログラムを起動する。これにより、端末Ａ、Ｂ、Ｃ間でアプリケーション層における相互接続が完了する（Ｓ４０７）。
【００５９】
このように第４実施形態では、端末Ａが、電子メールによってブルートゥース接続要求とともに、ブルートゥース認証で用いるＰＩＮの情報をHTTPによりWeb内の所定のサーバから取得する動作を行う上位アプリケーションの識別情報、及びブルートゥース接続後に自動起動するべき下位アプリケーションの識別情報を端末Ｂ、Ｃに送信することで、認証シーケンスを自動的に実行でき、ブルートゥース通信における接続動作及び下位アプリケーションの自動起動をさらに簡便、迅速に行うことができる。
【００６０】
なお、図７のＳ４０１では、端末Ａは、HTTPを使ってWeb内の所定のサーバからＰＩＮの情報を取得する動作を行うアプリケーションの識別情報を送信する以外に、ＰＩＮの情報を保持したアプリケーションの識別情報を送信してもよい。
【００６１】
ところで、上記各実施形態では、図３〜図７に基づき相手先移動機が複数台の場合を説明したが、相手先移動機が１台の場合も同様の手順で処理を行うことで、ブルートゥース通信の接続動作を簡便に行うことができる。
【００６２】
また、上記各実施形態では、認証においては、ＰＩＮの代わりに、ＰＩＮを使用して生成される１２８ビットのリンクキーを用いてもよい。
【図面の簡単な説明】
【００６３】
【図１】発明の実施形態に係る通信システムの構成図である。
【図２】各移動機の構成図である。
【図３】第１実施形態における処理の流れを示すフロー図である。
【図４】第１実施形態における処理の変形態様を示すフロー図である。
【図５】第２実施形態における処理の流れを示すフロー図である。
【図６】第３実施形態における処理の流れを示すフロー図である。
【図７】第４実施形態における処理の流れを示すフロー図である。
【符号の説明】
【００６４】
１…通信システム、１０…移動機、１１…移動体通信部、１１Ａ…要求送信部、１１Ｂ…応答受信部、１１Ｃ…要求受信部、１１Ｄ…応答送信部、１２…近距離無線通信部、１２Ａ…要求送信側制御部、１２Ｂ…要求受信側制御部、１３…入力部、１４…表示部、１５…音声処理部、１６…記憶部、１７…アプリケーション実行部、２０…基地局、３０…メールサーバ。
【図１】
2005223635.tif 000003
【図２】
2005223635.tif 000004
【図３】
2005223635.tif 000005
【図４】
2005223635.tif 000006
【図５】
2005223635.tif 000007
【図６】
2005223635.tif 000008
【図７】
2005223635.tif 000009